(57)【特許請求の範囲】
【請求項１】
上端にフランジ形状を有するピアス頭部と、下端に被加工物に孔をあける先端部と、を有し、ケーシングのピアス加工方向貫通孔に摺動自在に支持されるピアスパンチと、
前記ピアス頭部のフランジ形状の上下端面を挟持し、前記ピアスパンチの加工方向及び非加工方向への駆動力を伝達するピアスリングと、
前記ピアスリングに係合して前記ピアスリングを非加工方向に付勢する付勢手段と、
先端部にテーパ部を有し、水平方向から進出して、前記ピアスリングの上部に前記テーパ部を当接させて、前記ピアスリングを加工方向に駆動するスライドプレートと、
前記スライドプレートを水平方向に進退させる駆動装置と、
を有することを特徴とするピアスセレクタ。
【請求項２】
前記付勢手段は、金属製若しくは合成樹脂製の弾性体、または、前記ピアスリングの下部に一端部が係合し他端部が前記スライドプレートに係合して基部を中心に揺動することで前記ピアスパンチを非加工方向に強制的に移動させる揺動自在なレバーであること、
を特徴とする請求項１に記載のピアスセレクタ。
【請求項３】
前記ピアスリングと前記ピアスパンチとは、前記ピアスパンチがそれ自身の長手方向の軸芯回りに回転しないように、前記ピアスパンチの頭部における円形の外周部の一部と前記ピアスリングの内側壁面の一部とに、互いに当接する回止め用の平坦状壁面部が設けられていること、
を特徴とする請求項１または請求項２に記載のピアスセレクタ。
【発明の詳細な説明】
【技術分野】
【０００１】
本発明は、被加工物に孔等を開けるプレス金型に取り付け、被加工物に孔等を開ける、或いは、孔等を開けないの切り替えを行い被加工物への孔加工等の打ち分けを制御（選択）するパンチ切換装置であるピアスセレクタに関するものである。
【背景技術】
【０００２】
従来、パンチ切替装置は、プレス金型に取り付け、或いは、プレス金型用カム装置の工具取付面に固定され、図５（Ａ）に示すように、ピアスパンチ３をケーシング２で加工方向に摺動自在に支持して、エアシリンダー等の駆動手段７によって水平に往復直線移動（駆動）するセレクトバー（スライドプレート）６が設けられている。図５（Ｂ）に示すように、このセレクトバー（スライドプレート）６が前記ピアスパンチ３の頭部３ｂの上に進出して、ピアスパンチ３を加工方向に強制的に突出させることで、被加工物に孔を開けることができるようになっている。また、図５（Ａ）に示すように、前記セレクトバー（スライドプレート）６が後退しているときには、前記ピアスパンチ３が加工方向とは逆方向に移動可能となり、若しくは強制的にレバー５で押し上げられ、孔を開けない状態になる。このように、ピアスパンチ３を孔加工可能状態、若しくは孔加工不要状態に適宜制御して、被加工物に孔を開ける、孔を開けないの選択をするパンチ切換装置が知られている（特許文献１参照）。
【先行技術文献】
【特許文献】
【０００３】
【特許文献１】特願２００３−１０７８０２号公報
【発明の概要】
【発明が解決しようとする課題】
【０００４】
しかし、従来のパンチ切換装置においては、図５（Ａ）に示す状態から図５（Ｂ）に示す状態に移行する際に、まれにピアスパンチ３の頭部３ｂに嵌装されたピアスリング９が加工方向に移動しても、ピアスパンチ３のシャンク部外径公差の違いにより、ピアスパンチとケーシング嵌合部との間に僅かな隙間やガタが生じて、図５（Ｃ）に示すようにピアスパンチ３が加工方向に移動しない場合があった。このとき、前記ピアスリング９の上端面から前記ピアスパンチ３の頭部上端面が上に突出してしまい、セレクトバー（スライドプレート）６の先端部に衝突してしまうことがある。このような障害が発生すると、被加工物に孔加工を行うことができないのは勿論のこと、このパンチ切換装置のリテーナ部分に損傷が生じてしまう。よって、この動作不具合問題は確実に防止する必要があり、本発明に係るピアスセレクタは、このような課題を解決するために提案されたものである。
【課題を解決するための手段】
【０００５】
本発明のピアスセレクタは、上端にフランジ形状を有するピアス頭部と、下端に被加工物に孔をあける先端部と、を有し、ケーシングのピアス加工方向貫通孔に摺動自在に支持されるピアスパンチと、ピアス頭部のフランジ形状の上下端面を挟持し、ピアスパンチの加工方向及び非加工方向への駆動力を伝達するピアスリングと、ピアスリングに係合してピアスリングを非加工方向に付勢する付勢手段と、先端部にテーパ部を有し、水平方向から進出して、ピアスリングの上部にテーパ部を当接させて、ピアスリングを加工方向に駆動するスライドプレートと、スライドプレートを水平方向に進退させる駆動装置と、を有する。
【０００６】
また、付勢手段は、金属製若しくは合成樹脂製の弾性体、または、ピアスリングの下部に一端部が係合し他端部がスライドプレートに係合して基部を中心に揺動することでピアスパンチを非加工方向に強制的に移動させる揺動自在なレバーである。更に、ピアスリングとピアスパンチとは、ピアスパンチがそれ自身の長手方向の軸芯回りに回転しないように、ピアスパンチの頭部における円形の外周部の一部とピアスリングの内側壁面の一部とに、互いに当接する回止め用の平坦状壁面部が設けられている。
【発明の効果】
【０００７】
本発明のピアスセレクタによれば、ピアスリングの天板部がピアスパンチの頭部の上に被さって覆っており、スライドプレートが進出すると、必ずピアスリングが当接されて加工方向に移動され、ピアスリングの天板部の作用によりピアスパンチが確実に突出する。さらに、直接、スライドプレートが前記ピアスパンチ頭部に当接することが無くなり、スライダープレートとピアスポンチの頭部とが衝突して損傷するということも解消されると言う優れた効果を奏するものである。
また、付勢手段は、弾性体や強制的に移動させる揺動レバーであって、公知の手段により対応できて設計の自由度が増すものである。更に、ピアスリングとピアスパンチとに回止め用の平坦状壁面部があることで、ピアスパンチの回転を止めることができる。
【図面の簡単な説明】
【０００８】
【図１】本発明に係るピアスセレクタ１の使用状態であって、ピアスパンチ３が上に待機させられている状態の縦断面図（Ａ）と、ピアスパンチ３が下に突出させられて使用可能状態の縦断面図（Ｂ）とである。
【図２】同本発明のピアスセレクタ１におけるピアスリング４の正面図（Ａ）、側面図（Ｂ）、背面図（Ｃ）、平面図（Ｄ）、底面図（Ｅ）である。
【図３】同ピアスリング４にピアスパンチ３を差し込む様子を説明する説明図である。
【図４】同ピアスセレクタ１の平面図である。
【図５】従来例に係るピアスセレクタ１０の使用状態であって、ピアスパンチ３が上に待機させられている状態の縦断面図（Ａ）と、ピアスパンチ３が下に突出させられて使用可能状態の縦断面図（Ｂ）と、動作不具合状態を示す説明図（Ｃ）である。
【図６】同従来例におけるピアスリング９の縦断面図（Ａ）と正面図（Ｂ）とである。
【発明を実施するための形態】
【０００９】
本発明に係るピアスセレクタ１は、図１（Ａ），（Ｂ）に示すように、ピアスパンチの加工方向への移動突出を確実にすることと、スライドプレートがピアスパンチの頭部上端面に直接当接しないように、ピアスリングにピアスパンチの頭部を覆う天板部を設けるものである。
【実施例１】
【００１０】
本発明の第１実施例は、図１（Ａ），（Ｂ）に示すように、プレス金型に取り付け、或いは、カム装置の工具取付面に固定されるパンチ切換装置であるピアスセレクタ１が在り、その構成は、鋼製のケーシング２と、該ケーシング２のピアス加工方向貫通孔２ａに摺動自在に支持されて被加工物に下端先端部３ａで孔を開けるピアスパンチ３とがある。
【００１１】
前記ピアスパンチ３の上部に設けられフランジを有するピアス頭部３ｂに嵌装され当該ピアスパンチ３の加工方向への移動を伝達するピアスリング４と、該ピアスリング４の下部に一端側アーム端部５ａで係合して当該ピアスリング４及びピアスパンチ３を強制的に押し上げるとともに前記ピアスリング４及びピアスパンチ３が加工方向に移動する際には前記ピアスリング４との係合を解除して退避する揺動自在なレバー５が在る。尚、このレバー５は、ピアスパンチ３を非加工方向に移動させる付勢手段としての一例であり、その他の付勢手段、例えば、コイルスプリング，皿バネ等の金属製、若しくは、ウレタン樹脂等の合成樹脂製の、同様の作用・効果を奏する公知の付勢手段であってもよい。
【００１２】
前記レバー５の一部である他端側アーム端部５ｂに係合してこのレバー５を中央基部５ｃを中心に揺動させると共に先端部のテーパ部６ａで前記ピアスリング４及びピアスパンチ３の上部に水平方向から進出して該ピアスリング４及びピアスパンチ３を強制的に加工方向に移動させるスライドプレート６と、該スライドプレート６を水平方向に進退させる駆動装置（エアシリンダーなど）７とからなるピアスセレクタ１である。
【００１３】
前記ピアスリング４は、ピアスパンチ３の頭部３ｂを覆う天板部４ａが設けられ、前記スライドプレート６が駆動装置７によって摺動してピアスリング４及びピアスパンチ３の上位置に進出したときに、該スライドプレート６の下面６ｂが前記天板部４ａの上面に摺接して、前記ピアスパンチ３の頭部３ｂには前記スライドプレート６が直接的に摺接したり、当接したり若しくは衝突したりしないようにしている。
【００１４】
前記ピアスリング４は、図２（Ａ）〜（Ｅ）に示すように、鋼製であって全体が横から見てコ字型で、正面からみると、中間部４ｂが空間となっており、下部側には、ピアスパンチ３を差入れ込むスリット４ｃが設けられ、前記天板部４ａの左右方向の片側端部にテーパ部４ｄが設けられ、前記スライドプレート６の先端部６ａが当接してピアスリング４を直交方向に移動させるガイドとなっている。尚、この天板部４ａは、この実施例では全面を板状にしているが、これに限らず、天板部４ａの一部に孔やスリットなどがあってピアスパンチ３の頭部３ｂを全面的に覆っていなくても、前記ピアスパンチ３の頭部３ｂにスライドプレート６が直接的に摺接したり、当接したり若しくは衝突したりしないようにして、上記実施例１と同様の効果を奏するものであれば良い。
【００１５】
前記天板部４ａと下部側とを連結している連結部４ｅの内側面には、ピアスパンチ３の回止めとなる平坦状壁面部４ｆが設けられている。図３に示すように、ピアスパンチ３をスリット４ｃから頭部３ｂを差込み、ピアスパンチ３側の平坦状壁面部３ｃと前記ピアスリング側の平坦状壁面部４ｆとを合わせて当接させることで、ピアスリング４に対してピアスパンチ３が回転しないようになる。
【００１６】
このように、ピアスリング４とピアスパンチ３とは、ピアスパンチ３がそれ自身の長手方向の軸芯回りに回転しないように、ピアスパンチの頭部３ｂにおける円形の外周部の一部とピアスリング４の内側壁面の一部とに、互いに当接する回止め用の平坦状壁面部３ｃ、４ｆが設けられている。
【００１７】
尚、前記ピアスリング４は、バッキングプレート８を取り除いて示す平面図の図４に示すように、当該ピアスリング４の左右方向における平坦状壁面４ｇがケーシング２のピアスリング用嵌合孔の左右平坦状壁面２ｂ，２ｃと摺接しているので、上下方向の軸芯回りに回転することがない。
【００１８】
このようにしてなるピアスセレクタ１は、図１（Ａ），（Ｂ）に示すように、孔明け作用をさせる場合には、駆動装置７を駆動させてロッド７ａを前方向に進出させる。これにより、スライドプレート６が前方向に進出すると共に、レバー５も揺動され、その一端側アーム端部５ａが中央基部５ｃを中心にして反時計方向に回転する。
【００１９】
前記スライドプレート６の先端部のテーパ部６ａが、ピアスリング４の天板部４ａのテーパ部４ｄに当接して当該ピアスリング４を下に下降させる。このピアスリング４の下降に伴いピアスパンチ３も下降して突出し、孔明け可能な状態となる。このピアスパンチ３の頭部３ｂは、前記スライドプレート６と当接することがない。また、前記天板部４ａによってピアスパンチ３が加工方向に強制的に突出されるので、動作不具合が生じないものである。
【００２０】
また、ピアスパンチ３の回り止めが設けられていることで、孔明け工程時、若しくは、孔明け待機工程時において、振動などにより軸芯回りに回転するということが無く、安定した孔明け作業が期待できる。こうして、プレス金型へ取り付けられた或いはカム装置の工具取付面に固定されたピアスセレクタ１が図１（Ｂ）に示す孔明け可能状態となったので、上型を上下移動させて或いはカム装置のカムスライダを所定の加工方向に摺動させて被加工物に孔加工するものである。又、孔加工不要状態にするのであれば、駆動装置７によってロッド７ａを後退させて、ピアスパンチ３を強制的に持ち上げておくものである。
【産業上の利用可能性】
【００２１】
本発明に係るピアスセレクタ１は、ワークを加工する各種の工具にも適用できるものである。
【符号の説明】
【００２２】
１          ピアスセレクタ、
２          ケーシング、              ２ａ              ピアス加工方向貫通孔、
３          ピアスパンチ、            ３ａ              下部先端部、
３ｂ        頭部、
４          ピアスリング、            ４ａ              天板部、
４ｂ        中間部、                  ４ｄ              テーパ部、
４ｅ        連結部、                  ４ｆ              平坦状壁面、
４ｇ        平坦状壁面、
５          レバー、                  ５ａ              一端側アーム端部、
５ｂ        他端側アーム端部、        ５ｃ              中央基部、
６          スライドプレート、        ６ａ              テーパ部、
６ｂ        下面、
７          駆動装置、                ７ａ              ロッド、
８          バッキングプレート、
９          従来のピアスリング、
１０        従来のピアスセレクタ。
【図１】
0005669462.tif 000002
【図２】
0005669462.tif 000003
【図３】
0005669462.tif 000004
【図４】
0005669462.tif 000005
【図５】
0005669462.tif 000006
【図６】
0005669462.tif 000007